【手続補正書】
【提出日】平成21年10月27日(2009.10.27)
【手続補正１】
【補正対象書類名】特許請求の範囲
【補正対象項目名】全文
【補正方法】変更
【補正の内容】
【特許請求の範囲】
【請求項１】
Ｚ−ＨＦＣ−１４２９とフッ化水素とを含み、好ましくは有効量のフッ化水素を含むことを特徴とする共沸組成物または近共沸組成物。
【請求項２】
約１０．３モル％〜約３５．２モル％のＺ−ＨＦＣ−１４２９とフッ化水素、好ましくは約８９．７モル％〜約６４．８モル％のフッ化水素とを含み、好ましくは蒸気圧が約−２０℃〜約１００℃の温度で約４．１ｐｓｉ（２８．３ｋＰａ）〜約２８５ｐｓｉ（１９６５ｋＰａ）であり、前記組成物が泡立ち点圧力を基準にして３％以下である露点圧力と泡立ち点圧力との間の差によって特徴付けられることを特徴とする請求項１に記載の共沸組成物または近共沸組成物。
【請求項３】
前記組成物が約１０．３モル％〜約３５．２モル％のＺ−ＨＦＣ−１４２９と約８９．７モル％〜約６４．８モル％のフッ化水素とから本質的になり、蒸気圧が約−２０℃〜約１００℃の温度で約４．１ｐｓｉ（２８．３ｋＰａ）〜約２８５ｐｓｉ（１９６５ｋＰａ）であることを特徴とする請求項１に記載の共沸組成物または近共沸組成物。
【請求項４】
約１１．４モル％〜約３２．６モル％のＺ−ＨＦＣ−１４２９および約８８．６モル％〜約６７．４モル％のフッ化水素を含み、蒸気圧が約−２０℃〜約１００℃の温度で約４．１ｐｓｉ（２８．３ｋＰａ）〜約２８５ｐｓｉ（１９６５ｋＰａ）であることを特徴とする請求項１に記載の共沸組成物。
【請求項５】
前記組成物が約１１．４モル％〜約３２．６モル％のＺ−ＨＦＣ−１４２９と約８８．６モル％〜約６７．４モル％のフッ化水素とから本質的になり、蒸気圧が約−２０℃〜約１００℃の温度で約４．１ｐｓｉ（２８．３ｋＰａ）〜約２８５ｐｓｉ（１９６５ｋＰａ）であることを特徴とする請求項１に記載の共沸組成物。
【請求項６】
ＨＦＣ−４３−１０ｍｅｅからＺ−ＨＦＣ−１４２９を分離する方法であって、
（ａ）Ｚ−ＨＦＣ−１４２９、ＨＦＣ−４３−１０ｍｅｅおよびフッ化水素の混合物を形成する工程と、
（ｂ）本質的にＨＦＣ−４３−１０ｍｅｅを含有しないフッ化水素およびＺ−ＨＦＣ−１４２９の共沸組成物または近共沸組成物を含む塔留出組成物が形成される蒸留工程に前記混合物を供する工程と
を含むことを特徴とする方法。
【請求項７】
前記蒸留工程がＨＦＣ−４３−１０ｍｅｅを含む塔底物組成物を更に形成し、好ましくは前記塔底物組成物が本質的にフッ化水素を含有しないＨＦＣ−４３−１０ｍｅｅを含むことを特徴とする請求項６に記載の方法。
【請求項８】
Ｚ−ＨＦＣ−１４２９、ＨＦＣ−４３−１０ｍｅｅおよびフッ化水素の前記混合物が各成分の等モル量、または過剰のＺ−ＨＦＣ−１４２９を含むことを特徴とする請求項６に記載の方法。
【請求項９】
Ｚ−ＨＦＣ−１４２９およびフッ化水素の共沸組成物または近共沸組成物を含む混合物からＺ−ＨＦＣ−１４２９を分離する方法であって、前記方法が、
ａ）（ｉ）フッ化水素または（ｉｉ）Ｚ−ＨＦＣ−１４２９のいずれかに富む組成物を第１の留出組成物として除去し、第１の塔底物組成物を前記成分（ｉ）または（ｉｉ）の他方に富ませる第１の蒸留工程に前記混合物を供する工程と、
ｂ）工程（ａ）における第１の塔底物組成物として富む成分を第２の留出組成物中に除去し、第２の塔底物組成物を前記第１の留出組成物中に富んでいた同じ成分に富ませる、異なる圧力で行われる第２の蒸留工程に前記第１の留出組成物を供する工程とを含み、
好ましくは前記第１の塔底物組成物が本質的にフッ化水素を含有しないＺ−ＨＦＣ−１４２９を含み、および／または前記第２の塔底物組成物が本質的にＺ−ＨＦＣ−１４２９を含有しないフッ化水素を含むことを特徴とする方法。
【請求項１０】
前記第１の蒸留工程を前記第２の蒸留工程の圧力より高い圧力で行うことを特徴とする請求項９に記載の方法。
【請求項１１】
前記混合物が有効量のフッ化水素と組み合わせたＺ−ＨＦＣ−１４２９から本質的になって、フッ化水素を有する共沸組成物または近共沸組成物を形成し、前記共沸組成物または近共沸組成物が約６４．５モル％〜約６９．０モル％のＺ−ＨＦＣ−１４２９を含有することを特徴とする請求項９に記載の方法。
【請求項１２】
Ｚ−ＨＦＣ−１４２９、ＨＦＣ−４３−１０ｍｅｅおよびフッ化水素の混合物からＺ−ＨＦＣ−１４２９を精製する方法であって、
ａ）前記混合物を第１の蒸留工程に供して、Ｚ−ＨＦＣ−１４２９およびフッ化水素を含有する共沸組成物または近共沸組成物を含む第１の留出組成物およびＨＦＣ−４３−１０ｍｅｅを含む第１の塔底物組成物を形成する工程と、
ｂ）（ｉ）フッ化水素または（ｉｉ）Ｚ−ＨＦＣ−１４２９のいずれかに富む組成物を第２の留出組成物として除去し、第２の塔底物組成物を前記成分（ｉ）または（ｉｉ）の他方に富ませる第２の蒸留工程に第１の留出組成物を供する工程と、
ｃ）工程（ｂ）における第２の塔底物組成物中に富む成分を第３の留出組成物中に除去し、第３の塔底物組成物を前記第２の留出組成物中に富んでいた同じ成分に富ませる、第２の蒸留工程とは異なる圧力で行われる第３の蒸留工程に前記第２の留出組成物を供する工程と
を含むことを特徴とする方法。
【請求項１３】
Ｚ−ＨＦＣ−１４２９を生成する方法であって、
ａ）脱フッ化水素のための反応域にＨＦＣ−４３−１０ｍｅｅをフィードして、Ｚ−ＨＦＣ−１４２９、未反応ＨＦＣ−４３−１０ｍｅｅおよびフッ化水素を含む反応生成組成物を形成する工程と、
ｂ）前記反応生成組成物を第１の蒸留工程に供して、Ｚ−ＨＦＣ−１４２９およびフッ化水素を含有する共沸組成物または近共沸組成物を含む第１の留出組成物およびＨＦＣ−４３−１０ｍｅｅを含む第１の塔底物組成物を形成する工程と、
ｃ）（ｉ）フッ化水素または（ｉｉ）Ｚ−ＨＦＣ−１４２９のいずれかに富む組成物を第２の留出組成物として除去し、第２の塔底物組成物を前記成分（ｉ）または（ｉｉ）の他方に富ませる第２の蒸留工程に前記第１の留出組成物を供する工程と、
ｄ）工程（ｃ）における第２の塔底物組成物中に富む成分を第３の留出組成物中に除去し、第３の塔底物組成物を前記第２の留出組成物中に富んでいた同じ成分に富ませる、第２の蒸留工程とは異なる圧力で行われる第３の蒸留工程に前記第２の留出組成物を供する工程とを含み、
および／または前記第１の塔底物組成物の少なくともいくらかの部分が、前記反応域に再循環され、および／または前記第２の塔底物組成物の少なくともいくらかの部分が、前記反応域に再循環され、および／または前記第２の塔底物組成物の少なくともいくらかの部分が、前記第１の蒸留工程に再循環されることを特徴とする方法。
【請求項１４】
本質的にＨＦＣ−４３−１０ｍｅｅおよびフッ化水素を含有しないＺ−ＨＦＣ−１４２９として前記第２の塔底物組成物の少なくともいくらかの部分を回収する工程を更に含むことを特徴とする請求項１３に記載の方法。
【請求項１５】
ＨＦＣ−４３−１０ｍｅｅおよびフッ化水素の共沸組成物または近共沸組成物を含む混合物からＨＦＣ−４３−１０ｍｅｅを分離する方法であって、前記方法が、
ａ）（ｉ）フッ化水素または（ｉｉ）ＨＦＣ−４３−１０ｍｅｅのいずれかに富む組成物を第１の留出組成物として除去し、第１の塔底物組成物を前記成分（ｉ）または（ｉｉ）の他方に富ませる第１の蒸留工程に前記混合物を供する工程と、
ｂ）工程（ａ）における第１の塔底物組成物として富む成分を第２の留出組成物として除去し、第２の蒸留工程の塔底物組成物を前記第１の留出組成物中に富んでいた同じ成分に富ませる、異なる圧力で行われる第２の蒸留工程に前記第１の留出組成物を供する工程とを含み、
好ましくは前記第１の塔底物組成物が本質的にフッ化水素を含有しないＨＦＣ−４３−１０ｍｅｅを含み、および／または前記第１の塔底物組成物が本質的にＨＦＣ−４３−１０ｍｅｅを含有しないフッ化水素を含むことを特徴とする方法。
【請求項１６】
前記第２の塔底物組成物が本質的にＨＦＣ−４３−１０ｍｅｅを含有しないフッ化水素を含み、および／または前記第２の塔底物組成物が本質的にフッ化水素を含有しないＨＦＣ−４３−１０ｍｅｅを含むことを特徴とする請求項１５に記載の方法。
【請求項１７】
前記第２の蒸留工程が前記第１の蒸留工程の圧力より高い圧力で行われ、および／または前記第２の蒸留工程が前記第１の蒸留工程の圧力より低い圧力で行われることを特徴とする請求項１５に記載の方法。
【請求項１８】
ＨＦＣ−４３−１０ｍｅｅとフッ化水素とを含み、好ましくは有効量のフッ化水素を含むことを特徴とする共沸組成物または近共沸組成物。
【請求項１９】
約２．６モル％〜約２０．１モル％のＨＦＣ−４３−１０ｍｅｅとフッ化水素、好ましくは約２．６モル％〜約２０．１モル％のＨＦＣ−４３−１０ｍｅｅと約９７．４モル％〜約７９．９モル％のフッ化水素とを含み、好ましくは蒸気圧が約−２０℃〜約１００℃の温度で約３．０ｐｓｉ（２０．７ｋＰａ）〜約１９８ｐｓｉ（１３６５ｋＰａ）であり、好ましくは前記組成物が（泡立ち点圧力を基準にして）３％以下である露点圧力と泡立ち点圧力との間の差によって特徴付けられることを特徴とする請求項１８に記載の共沸組成物または近共沸組成物。
【請求項２０】
前記組成物が約２．６モル％〜約２０．１モル％のＨＦＣ−４３−１０ｍｅｅおよび約９７．４モル％〜約７９．９モル％のフッ化水素から本質的になり、蒸気圧が約−２０℃〜約１００℃の温度で約３．０ｐｓｉ（２０．７ｋＰａ）〜約１９８ｐｓｉ（１３６５ｋＰａ）であることを特徴とする請求項１８に記載の共沸組成物または近共沸組成物。
【請求項２１】
約２．７モル％〜約１８．２モル％のＨＦＣ−４３−１０ｍｅｅと約９７．３モル％〜約８１．８モル％のフッ化水素とを含み、蒸気圧が約−２０℃〜約１００℃の温度で約３．０ｐｓｉ（２０．７ｋＰａ）〜約１９８ｐｓｉ（１３６５ｋＰａ）であることを特徴とする請求項１８に記載の共沸組成物。
【請求項２２】
前記組成物が約２．７モル％〜約１８．２モル％のＨＦＣ−４３−１０ｍｅｅおよび約９７．３モル％〜約８１．８モル％のフッ化水素から本質的になり、蒸気圧が約−２０℃〜約１００℃の温度で約３．０ｐｓｉ（２０．７ｋＰａ）〜約１９８ｐｓｉ（１３６５ｋＰａ）であることを特徴とする請求項１８に記載の共沸組成物。
【手続補正２】
【補正対象書類名】明細書
【補正対象項目名】００７３
【補正方法】変更
【補正の内容】
【００７３】
更に補足説明せずに、当業者が本明細書の中の説明を用いて、開示された組成物および
方法を最大限に利用することが可能であることが信じられる。従って、以下の例示的な実
施形態は単に例示として解釈されるべきであり、開示の残りをいかにしても全く制限しな
い。
以下に、本発明の好ましい態様を示す。
１．  Ｚ−ＨＦＣ−１４２９とフッ化水素とを含むことを特徴とする共沸組成物または近共沸組成物。
２．  Ｚ−ＨＦＣ−１４２９と有効量のフッ化水素とを含むことを特徴とする１．に記載の共沸組成物または近共沸組成物。
３．  約１０．３モル％〜約３５．２モル％のＺ−ＨＦＣ−１４２９とフッ化水素とを含むことを特徴とする１．に記載の共沸組成物または近共沸組成物。
４．  約１０．３モル％〜約３５．２モル％のＺ−ＨＦＣ−１４２９と約８９．７モル％〜約６４．８モル％のフッ化水素とを含むことを特徴とする１．に記載の共沸組成物または近共沸組成物。
５．  約１０．３モル％〜約３５．２モル％のＺ−ＨＦＣ−１４２９と約８９．７モル％〜約６４．８モル％のフッ化水素とを含み、蒸気圧が約−２０℃〜約１００℃の温度で約４．１ｐｓｉ（２８．３ｋＰａ）〜約２８５ｐｓｉ（１９６５ｋＰａ）であることを特徴とする１．に記載の共沸組成物または近共沸組成物。
６．  前記組成物が約１０．３モル％〜約３５．２モル％のＺ−ＨＦＣ−１４２９および約８９．７モル％〜約６４．８モル％のフッ化水素から本質的になり、蒸気圧が約−２０℃〜約１００℃の温度で約４．１ｐｓｉ（２８．３ｋＰａ）〜約２８５ｐｓｉ（１９６５ｋＰａ）であることを特徴とする１．に記載の共沸組成物または近共沸組成物。
７．  約１１．４モル％〜約３２．６モル％のＺ−ＨＦＣ−１４２９と約８８．６モル％〜約６７．４モル％のフッ化水素とを含み、蒸気圧が約−２０℃〜約１００℃の温度で約４．１ｐｓｉ（２８．３ｋＰａ）〜約２８５ｐｓｉ（１９６５ｋＰａ）であることを特徴とする１．に記載の共沸組成物。
８．  約１１．４モル％〜約３２．６モル％のＺ−ＨＦＣ−１４２９および約８８．６モル％〜約６７．４モル％のフッ化水素から本質的になり、蒸気圧が約−２０℃〜約１００℃の温度で約４．１ｐｓｉ（２８ｋＰａ）〜約２８５ｐｓｉ（１９６５ｋＰａ）であることを特徴とする１．に記載の共沸組成物。
９．  前記組成物が泡立ち点圧力を基準にして３％以下である露点圧力と泡立ち点圧力との間の差によって特徴付けられることを特徴とする１．に記載の共沸組成物または近共沸組成物。
１０．  ＨＦＣ−４３−１０ｍｅｅからＺ−ＨＦＣ−１４２９を分離する方法であって、
（ａ）Ｚ−ＨＦＣ−１４２９、ＨＦＣ−４３−１０ｍｅｅおよびフッ化水素の混合物を形成する工程と、
（ｂ）本質的にＨＦＣ−４３−１０ｍｅｅを含有しないフッ化水素およびＺ−ＨＦＣ−１４２９の共沸組成物または近共沸組成物を含む塔留出組成物が形成される蒸留工程に前記混合物を供する工程と
を含むことを特徴とする方法。
１１．  前記蒸留工程がＨＦＣ−４３−１０ｍｅｅを含む塔底物組成物を更に形成することを特徴とする１０．に記載の方法。
１２．  前記塔底物組成物が本質的にフッ化水素を含有しないＨＦＣ−４３−１０ｍｅｅを含むことを特徴とする１１．に記載の方法。
１３．  Ｚ−ＨＦＣ−１４２９、ＨＦＣ−４３−１０ｍｅｅおよびフッ化水素の前記混合物が各成分の等モル量を含むことを特徴とする１０．に記載の方法。
１４．  Ｚ−ＨＦＣ−１４２９、ＨＦＣ−４３−１０ｍｅｅおよびフッ化水素の前記混合物が過剰のＺ−ＨＦＣ−１４２９を含むことを特徴とする１０．に記載の方法。
１５．  Ｚ−ＨＦＣ−１４２９およびフッ化水素の共沸組成物または近共沸組成物を含む混合物からＺ−ＨＦＣ−１４２９を分離する方法であって、
ａ）（ｉ）フッ化水素または（ｉｉ）Ｚ−ＨＦＣ−１４２９のいずれかに富む組成物を第１の留出組成物として除去し、第１の塔底物組成物を前記成分（ｉ）または（ｉｉ）の他方に富ませる第１の蒸留工程に前記混合物を供する工程と、
ｂ）工程（ａ）における第１の塔底物組成物として富む成分を第２の留出組成物中に除去し、第２の塔底物組成物を前記第１の留出組成物中に富んでいた同じ成分に富ませる、異なる圧力で行われる第２の蒸留工程に前記第１の留出組成物を供する工程と
を含むことを特徴とする方法。
１６．  前記第１の塔底物組成物が本質的にフッ化水素を含有しないＺ−ＨＦＣ−１４２９を含むことを特徴とする１５．に記載の方法。
１７．  前記第２の塔底物組成物が本質的にＺ−ＨＦＣ−１４２９を含有しないフッ化水素を含むことを特徴とする１５．に記載の方法。
１８．  前記第１の蒸留工程を前記第２の蒸留工程の圧力より高い圧力で行うことを特徴とする１５．に記載の方法。
１９．  前記混合物が有効量のフッ化水素と組み合わせたＺ−ＨＦＣ−１４２９から本質的になって、フッ化水素を有する共沸組成物または近共沸組成物を形成し、前記共沸組成物または近共沸組成物が約６４．５モル％〜約６９．０モル％のＺ−ＨＦＣ−１４２９を含有することを特徴とする１５．に記載の方法。
２０．  Ｚ−ＨＦＣ−１４２９、ＨＦＣ−４３−１０ｍｅｅおよびフッ化水素の混合物からＺ−ＨＦＣ−１４２９を精製する方法であって、
ａ）前記混合物を第１の蒸留工程に供して、Ｚ−ＨＦＣ−１４２９およびフッ化水素を含有する共沸組成物または近共沸組成物を含む第１の留出組成物およびＨＦＣ−４３−１０ｍｅｅを含む第１の塔底物組成物を形成する工程と、
ｂ）（ｉ）フッ化水素または（ｉｉ）Ｚ−ＨＦＣ−１４２９のいずれかに富む組成物を第２の留出組成物として除去し、第２の塔底物組成物を前記成分（ｉ）または（ｉｉ）の他方に富ませる第２の蒸留工程に第１の留出組成物を供する工程と、
ｃ）工程（ｂ）における第２の塔底物組成物中に富む成分を第３の留出組成物中に除去し、第３の塔底物組成物を前記第２の留出組成物中に富んでいた同じ成分に富ませる、第２の蒸留工程とは異なる圧力で行われる第３の蒸留工程に前記第２の留出組成物を供する工程と
を含むことを特徴とする方法。
２１．  Ｚ−ＨＦＣ−１４２９を生成する方法であって、
ａ）脱フッ化水素のための反応域にＨＦＣ−４３−１０ｍｅｅをフィードして、Ｚ−ＨＦＣ−１４２９、未反応ＨＦＣ−４３−１０ｍｅｅおよびフッ化水素を含む反応生成組成物を形成する工程と、
ｂ）前記反応生成組成物を第１の蒸留工程に供して、Ｚ−ＨＦＣ−１４２９およびフッ化水素を含有する共沸組成物または近共沸組成物を含む第１の留出組成物およびＨＦＣ−４３−１０ｍｅｅを含む第１の塔底物組成物を形成する工程と、
ｃ）（ｉ）フッ化水素または（ｉｉ）Ｚ−ＨＦＣ−１４２９のいずれかに富む組成物を第２の留出組成物として除去し、第２の塔底物組成物を前記成分（ｉ）または（ｉｉ）の他方に富ませる第２の蒸留工程に前記第１の留出組成物を供する工程と、
ｄ）工程（ｃ）における第２の塔底物組成物中に富む成分を第３の留出組成物中に除去し、第３の塔底物組成物を前記第２の留出組成物中に富んでいた同じ成分に富ませる、第２の蒸留工程とは異なる圧力で行われる第３の蒸留工程に前記第２の留出組成物を供する工程と
を含むことを特徴とする方法。
２２．  前記第１の塔底物組成物の少なくともいくらかの部分を前記反応域に再循環する工程を更に含むことを特徴とする２１．に記載の方法。
２３．  前記第２の塔底物組成物の少なくともいくらかの部分を前記反応域に再循環する工程を更に含むことを特徴とする２１．に記載の方法。
２４．  本質的にＨＦＣ−４３−１０ｍｅｅおよびフッ化水素を含有しないＺ−ＨＦＣ−１４２９として前記第２の塔底物組成物の少なくともいくらかの部分を回収する工程を更に含むことを特徴とする２１．に記載の方法。
２５．  前記第２の塔底物組成物の少なくともいくらかの部分を前記第１の蒸留工程に再循環する工程を更に含むことを特徴とする２１．に記載の方法。
２６．  ＨＦＣ−４３−１０ｍｅｅおよびフッ化水素の共沸組成物または近共沸組成物を含む混合物からＨＦＣ−４３−１０ｍｅｅを分離する方法であって、
ａ）（ｉ）フッ化水素または（ｉｉ）ＨＦＣ−４３−１０ｍｅｅのいずれかに富む組成物を第１の留出組成物として除去し、第１の塔底物組成物を前記成分（ｉ）または（ｉｉ）の他方に富ませる第１の蒸留工程に前記混合物を供する工程と、
ｂ）工程（ａ）における第１の塔底物組成物として富む成分を第２の留出組成物として除去し、第２の蒸留工程の塔底物組成物を前記第１の留出組成物中に富んでいた同じ成分に富ませる、異なる圧力で行われる第２の蒸留工程に前記第１の留出組成物を供する工程とを含むことを特徴とする方法。
２７．  前記第１の塔底物組成物が本質的にフッ化水素を含有しないＨＦＣ−４３−１０ｍｅｅを含むことを特徴とする２６．に記載の方法。
２８．  前記第１の塔底物組成物が本質的にＨＦＣ−４３−１０ｍｅｅを含有しないフッ化水素を含むことを特徴とする２６．に記載の方法。
２９．  前記第２の塔底物組成物が本質的にＨＦＣ−４３−１０ｍｅｅを含有しないフッ化水素を含むことを特徴とする２６．に記載の方法。
３０．  前記第１の塔底物組成物が本質的にフッ化水素を含有しないＨＦＣ−４３−１０ｍｅｅを含むことを特徴とする２６．に記載の方法。
３１．  前記第２の蒸留工程が前記第１の蒸留工程の圧力より高い圧力で行われることを特徴とする２６．に記載の方法。
３２．  前記第２の蒸留工程が前記第１の蒸留工程の圧力より低い圧力で行われることを特徴とする２６．に記載の方法。
３３．  ＨＦＣ−４３−１０ｍｅｅとフッ化水素とを含むことを特徴とする共沸組成物または近共沸組成物。
３４．  ＨＦＣ−４３−１０ｍｅｅと有効量のフッ化水素とを含むことを特徴とする３３．に記載の共沸組成物または近共沸組成物。
３５．  約２．６モル％〜約２０．１モル％のＨＦＣ−４３−１０ｍｅｅとフッ化水素とを含むことを特徴とする３３．に記載の共沸組成物または近共沸組成物。
３６．  約２．６モル％〜約２０．１モル％のＨＦＣ−４３−１０ｍｅｅと約９７．４モル％〜約７９．９モル％のフッ化水素とを含むことを特徴とする３３．に記載の共沸組成物または近共沸組成物。
３７．  約２．６モル％〜約２０．１モル％のＨＦＣ−４３−１０ｍｅｅと約９７．４モル％〜約７９．９モル％のフッ化水素とを含み、蒸気圧が約−２０℃〜約１００℃の温度で約３．０ｐｓｉ（２０．７ｋＰａ）〜約１９８ｐｓｉ（１３６５ｋＰａ）であることを特徴とする３３．に記載の共沸組成物または近共沸組成物。
３８．  前記組成物が約２．６モル％〜約２０．１モル％のＨＦＣ−４３−１０ｍｅｅおよび約９７．４モル％〜約７９．９モル％のフッ化水素から本質的になり、蒸気圧が約−２０℃〜約１００℃の温度で約３．０ｐｓｉ（２０．７ｋＰａ）〜約１９８ｐｓｉ（１３６５ｋＰａ）であることを特徴とする３３．に記載の共沸組成物または近共沸組成物。
３９．  約２．７モル％〜約１８．２モル％のＨＦＣ−４３−１０ｍｅｅと約９７．３モル％〜約８１．８モル％のフッ化水素とを含み、蒸気圧が約−２０℃〜約１００℃の温度で約３．０ｐｓｉ（２０．７ｋＰａ）〜約１９８ｐｓｉ（１３６５ｋＰａ）であることを特徴とする３３．に記載の共沸組成物。
４０．  前記組成物が約２．７モル％〜約１８．２モル％のＨＦＣ−４３−１０ｍｅｅおよび約９７．３モル％〜約８１．８モル％のフッ化水素から本質的になり、蒸気圧が約−２０℃〜約１００℃の温度で約３．０ｐｓｉ（２０．７ｋＰａ）〜約１９８ｐｓｉ（１３６５ｋＰａ）であることを特徴とする３０．に記載の共沸組成物。
４１．  前記組成物が（泡立ち点圧力を基準にして）３％以下である露点圧力と泡立ち点圧力との間の差によって特徴付けられることを特徴とする３３．に記載の共沸組成物または近共沸組成物。